(57)【要約】【課題】作業性に優れ、放射ノイズの発生を抑制することができる光源ユニット、照明器具及び電源装置を提供する。【解決手段】取付部材３は、板状部と、貫通孔３００とを有している。光源部２は、第１基板２２１、光源２２０、第１端子２１及び第１孔２２５を有している。電源装置４は、電源回路４９を有している。電源回路４９は、第２基板４０、第２孔４０２、ホルダ４１及び第２端子４２を有している。ホルダ４１は、第２基板４０における板状部とは反対側の面に配置されている。第２端子４２は、ホルダ４１によって保持されている。第１端子２１、第１孔２２５、貫通孔３００、第２孔４０２及び第２端子４２が、板状部の厚み方向に見て重なっている。導電体５０は、第１孔２２５、貫通孔３００及び第２孔４０２を通して、第１端子２１と第２端子４２とに電気的に接続されている。【選択図】図３
2019175620.tif 000002
【特許請求の範囲】
【請求項１】
取付部材と、
前記取付部材に取り付けられた光源部と、
前記取付部材に取り付けられた電源装置と、
導電体とを備え、
前記取付部材は、
板状部と、
前記板状部に形成され、前記板状部の厚み方向に貫通した貫通孔とを有し、
前記光源部は、
前記板状部における前記厚み方向の両側の面の一方に沿った第１基板と、
前記第１基板に取り付けられた光源と、
前記第１基板に取り付けられ、前記光源に電気的に接続された第１端子と、
前記第１基板を前記厚み方向に貫通した第１孔とを有し、
前記電源装置は、
電源回路を有し、
前記電源回路は、
前記板状部における前記第１基板とは反対側の面に沿った第２基板と、
前記第２基板を前記厚み方向に貫通した第２孔と、
前記第２基板における前記板状部とは反対側の面に配置されたホルダと、
前記ホルダによって保持され、前記電源回路で生成された電力を出力する第２端子とを有し、
前記第１端子、前記第１孔、前記貫通孔、前記第２孔及び前記第２端子が、前記厚み方向に見て重なり、
前記導電体は、前記第１孔、前記貫通孔及び前記第２孔を通して前記第１端子と前記第２端子とに電気的に接続された、
光源ユニット。
【請求項２】
前記第２基板は、
前記第２基板を前記厚み方向に貫通した嵌込孔を更に有し、
前記ホルダは、
前記第２基板側に向かって突出した突起を有し、
前記突起は、前記嵌込孔に嵌め込まれた、
請求項１の光源ユニット。
【請求項３】
前記電源回路は、
前記第２基板における前記板状部側の面に配置された電子部品を更に有し、
前記突起は、前記第２基板よりも前記板状部側に突出し、
前記第２基板より前記板状部側に突出した前記突起の突出長さは、前記第２基板より前記板状部側に突出した前記電子部品の突出長さよりも短い、
請求項２の光源ユニット。
【請求項４】
前記ホルダは、
前記第２基板側に向かって突出し、前記第２孔に嵌め込まれた突出部を有した、
請求項１又は請求項２の光源ユニット。
【請求項５】
前記電源回路は、
前記第２基板における前記板状部側の面に配置された電子部品を更に有し、
前記突出部は、前記第２基板よりも前記板状部側に突出し、
前記突出部が前記第２基板より前記板状部側に突出した長さは、前記電子部品が前記第２基板より前記板状部側に突出した長さよりも短い、
請求項４の光源ユニット。
【請求項６】
前記電源装置は、
前記板状部における前記第２基板側の面に沿って配置され、前記板状部側の面が開放された箱状に形成されたケースを更に有し、
前記ケースに前記電源回路が収容され、
前記板状部により、前記ケースの前記板状部側の面が塞がれた、
請求項１〜５のいずれか一つの光源ユニット。
【請求項７】
請求項１〜６のいずれか一つの光源ユニットと、
前記光源ユニットを支持する器具本体とを備えた、
照明器具。
【請求項８】
電源回路を備え、
前記電源回路は、
基板と、
前記基板に形成され、前記基板の厚み方向に貫通した孔と、
前記基板における前記厚み方向の両側の面のうちの一方の面に配置されたホルダと、
前記ホルダによって保持され、前記電源回路で生成された電力を出力する端子とを有し、
前記端子は、導電体を前記孔側から接続可能に構成された、
電源装置。
【発明の詳細な説明】
【技術分野】
【０００１】
本発明は、光源ユニット、照明器具及び電源装置に関する。
【背景技術】
【０００２】
特許文献１には、照明器具が開示されている。この照明器具は、天井に取付可能な器具本体と、器具本体に取り付けられた光源ユニットとで構成されている。光源ユニットは、取付部材、光源部及び電源装置を備えている。
【０００３】
光源部は、基板と、基板に実装された固体光源とを有している、基板は、固体光源を下方に向けた状態で取付部材の下面に取り付けられている。基板の下面には入力端子部が設けられている。入力端子部には、第１端子部材が半田接合されている。
【０００４】
電源装置は、電源回路を有している。電源回路は、プリント配線板とホルダとを有している。プリント配線板は、取付部材の上面に取り付けられている。プリント配線板の下面には、出力端子部が設けられている。プリント配線板の下面には、ホルダが取り付けられている。ホルダは、第２端子部材を保持している。第２端子部材は、出力端子部に半田接合されている。
【０００５】
取付部材には、上下方向に貫通した孔が形成されている。この孔には、棒状の導電体が通されている。導電体の下端部は、第１端子部材に電気的に接続されており、導電体の上端部は第２端子部材に電気的に接続されている。電源回路で生成された電力は、第２端子部材、導電体、第１端子部材及び基板を介して固体光源に供給される。この照明器具にあっては、導電体を、光源部の基板と、取付部材の孔とに通すことで、光源部と電源装置との電気的接続を行うことができて作業性が良い。
【先行技術文献】
【特許文献】
【０００６】
【特許文献１】特開２０１７−１７４５６８号公報
【発明の概要】
【発明が解決しようとする課題】
【０００７】
ところで、上述した照明器具にあっては、ホルダがプリント配線板から下方に突出している。このため、プリント配線板を取付部材の上面に近づけて配置することが難しく、第１端子部材と第２端子部材との間隔が長くなりやすい。このように第１端子部材と第２端子部材との間隔が長くなると、導電体の長さを短くし難く、放射ノイズの発生が懸念される。
【０００８】
本開示は上記事由に鑑みてなされており、作業性に優れ、かつ、放射ノイズの発生を抑制することができる光源ユニット、照明器具及び電源装置を提供することを目的とする。
【課題を解決するための手段】
【０００９】
本開示の一態様に係る光源ユニットは、取付部材、光源部、電源装置及び導電体を備える。前記光源部は、前記取付部材に取り付けられている。前記電源装置は、前記取付部材に取り付けられている。前記取付部材は、板状部と、貫通孔とを有している。前記貫通孔は、前記板状部に形成され、前記板状部の厚み方向に貫通している。前記光源部は、第１基板、光源、第１端子及び第１孔を有している。前記第１基板は、前記板状部における前記厚み方向の両側の面の一方に沿っている。前記光源は、前記第１基板に取り付けられている。前記第１端子は、前記第１基板に取り付けられ、前記光源に電気的に接続されている。前記第１孔は、前記第１基板を前記厚み方向に貫通している。前記電源装置は、電源回路を有している。前記電源回路は、第２基板、第２孔、ホルダ及び第２端子を有している。前記第２基板は、前記板状部における前記第１基板とは反対側の面に沿っている。前記第２孔は、前記第２基板を前記厚み方向に貫通している。前記ホルダは、前記第２基板における前記板状部とは反対側の面に配置されている。前記第２端子は、前記ホルダによって保持され、前記電源回路で生成された電力を出力する。前記第１端子、前記第１孔、前記貫通孔、前記第２孔及び前記第２端子が、前記厚み方向に見て重なっている。前記導電体は、前記第１孔、前記貫通孔及び前記第２孔を通して、前記第１端子と前記第２端子とに電気的に接続されている。
【００１０】
また、本開示の一態様に係る照明器具は、前記光源ユニットと、器具本体とを備えている。前記器具本体は、前記光源ユニットを支持している。
【００１１】
また、本開示の一態様に係る電源装置は、電源回路を備えている。前記電源回路は、基板、孔、ホルダ及び端子を有している。前記孔は、前記基板に形成され、前記基板の厚み方向に貫通している。前記ホルダは、前記基板における前記厚み方向の両側の面のうちの一方の面に配置されている。前記端子は、前記ホルダによって保持され、前記電源回路で生成された電力を出力する。前記端子は、導電体を前記孔側から接続可能に構成されている。
【発明の効果】
【００１２】
本開示の一態様に係る光源ユニット、照明器具及び電源装置は、作業性に優れ、かつ、放射ノイズの発生を抑制することができる。
【図面の簡単な説明】
【００１３】
【図１】図１は、実施形態に係る照明器具の分解斜視図である。
【図２】図２は、同上の照明器具の設置状態における断面図である。
【図３】図３は、同上の照明器具が備える光源ユニットの電源装置を含む一部分の分解斜視図である。
【図４】図４は、同上の光源ユニットの取付部材、光源部及びカバーの分解斜視図である。
【図５】図５Ａ〜図５Ｃは、同上の光源ユニットの第１端子を示し、図５Ａは正面図であり、図５Ｂは平面図であり、図５Ｃは側面図である。
【図６】図６は、同上の光源ユニットの要部の左右方向と直交する断面図である。
【図７】図７は、図６のＡ−Ａ線断面矢視図である。
【図８】図８は、同上の電源装置が備える基板及び複数の電子部品の平面図である。
【図９】図９は、同上の電源装置の底面図である。
【図１０】図１０は、同上の電源装置が備えるホルダと第２端子との分解斜視図である。
【図１１】図１１は、変形例１の電源装置の分解斜視図である。
【図１２】図１２は、変形例２の電源装置の要部の分解斜視図である。
【図１３】図１３は、同上の電源装置の要部の斜視図である。
【図１４】図１４は、変形例３の電源装置の要部の分解斜視図である。
【図１５】図１５は、同上の電源装置の要部の斜視図である。
【図１６】図１６は、変形例４の電源装置の要部の分解斜視図である。
【図１７】図１７は、同上の電源装置の要部の斜視図である。
【図１８】図１８は、変形例５の電源装置が有する第２端子の斜視図である。
【発明を実施するための形態】
【００１４】
本実施形態は、電源装置、この電源装置と光源とを備えた光源ユニット及びこの光源ユニットを備えた照明器具に関する。
【００１５】
図１及び図２に示すように、本実施形態の照明器具１は、天井直付け型の照明器具であって、天井材９０の下面に配置され、天井材９０につりボルト９１を用いて取り付けられる。以下では、照明器具１が天井に設置された状態における方向を用いて、照明器具１の各構成について説明する。
【００１６】
なお、本開示の技術は、天井直付け型の照明器具以外の照明器具にも適用可能である。例えば、本開示の技術は、引掛シーリング等を介して天井に取り付けられる照明器具、壁又は家具に取り付けられる照明器具又は他の部材に取り付けられずに用いられる照明器具等にも適用可能である。また、本開示の技術は、照明器具以外の装置に組み込まれる光源ユニット及び光源ユニット以外の装置に組み込まれる電源装置にも適用可能である。
【００１７】
照明器具１は、器具本体１０と、光源ユニット１１とを備えている。器具本体１０は、天井材９０に取付可能である。本実施形態の器具本体１０は、つりボルト９１に固定されることで、天井材９０に取り付けられる。光源ユニット１１は、器具本体１０に対して着脱可能に取り付けられ、器具本体１０によって支持される。
【００１８】
器具本体１０は、水平方向に直線状に延び、かつ、上面が開口した底の浅い箱状に形成されている。以下では、器具本体１０の長手方向を左右方向とし、器具本体１０の幅方向を前後方向として説明する。
【００１９】
器具本体１０は、金属製であり、例えば、板金を曲げ加工することで形成される。器具本体１０の下面には、光源ユニット１１が収容される凹部１００が形成されている。凹部１００は、器具本体１０の左右方向に延びた直線状の溝である。器具本体１０は、凹部１００の底部を構成する底板１０３を有している。
【００２０】
底板１０３には、孔１０１と、複数の孔１０２とが形成されている。孔１０１は、電源線９３を通すための孔であり、底板１０３を上下方向に貫通している。複数の孔１０２の各々は、つりボルト９１を通すための孔であり、底板１０３を上下方向に貫通している。
【００２１】
本実施形態の照明器具１は、端子台１２、複数の電線１３及びプラグコネクタ１４を更に有している。端子台１２は、底板１０３の下面に取り付けられている。端子台１２には、孔１０１に通された電源線９３が電気的に接続される。端子台１２には、複数の電線１３を介して、プラグコネクタ１４が電気的に接続されている。
【００２２】
図２及び図３に示すように、光源ユニット１１は、取付部材３、光源部２、電源装置４及び接続部材５を有している。光源部２及び電源装置４の各々は、取付部材３に取り付けられている。電源装置４は、入力電力から出力電力を生成する。接続部材５は、電源装置４と光源部２とを電気的に接続している。電源装置４で生成された電力は、接続部材５を介して光源部２に供給される。
【００２３】
図４に示すように、取付部材３は、左右方向に延びた直線状に形成されている。取付部材３は金属製であり、例えば、板金を曲げ加工して形成される。なお、取付部材３は、樹脂等の金属以外の材料から形成されてもよい。
【００２４】
本実施形態の取付部材３は、左右方向と直交する断面形状がＵ字状であり、底板部３０と、一対の側板部３１とを有している。底板部３０は、光源部２と電源装置４（図２参照）との間に配置された板状部を構成している。
【００２５】
底板部３０は、長手方向が左右方向と平行で、かつ、厚み方向Ｄが上下方向と平行な矩形板状に形成されている。一対の側板部３１は、底板部３０の前後方向における両端から上方に突出している。取付部材３は、貫通孔３００を更に有している。貫通孔３００は底板部３０に形成されており、底板部３０を上下方向に貫通している。貫通孔３００は、長手方向が左右方向と平行な長孔である。
【００２６】
底板部３０の下面には、光源部２が配置されている。光源部２は、複数の光源モジュール２２を有している。本実施形態の光源部２は、二つの光源モジュール２２を有している。なお、光源部２は、光源モジュール２２を三つ以上有してもよいし、一つだけ有してもよい。
【００２７】
複数の光源モジュール２２は、左右方向に並んでいる。各光源モジュール２２は、基板（プリント配線板）２２１と、光源２２０とを有している。以下、基板２２１を第１基板２２１という。
【００２８】
隣り合う光源モジュール２２の第１基板２２１同士は、底板部３０の下面に沿って左右方向に並んでいる。各第１基板２２１は、長手方向が左右方向と平行で、厚み方向が上下方向と平行な矩形板状に形成されている。
【００２９】
各第１基板２２１は、取付部材３の底板部３０に形成された複数の爪２１６により支持されている。これにより、各第１基板２２１は、底板部３０に対して固定されている。各第１基板２２１は、基板本体（絶縁基板）２２３と、基板本体２２３の下面に形成されたプリント配線とを有している。プリント配線は、銅箔等の導体で構成される。
【００３０】
各第１基板２２１には、光源２２０が取り付けられている（実装されている）。各光源２２０は、対応する第１基板２２１の下面（底板部３０とは反対側の面）に沿って、左右方向に並んだ複数の発光素子２２００（図３参照）を有している。各発光素子２２００は、固体発光素子であり、詳しくは、発光ダイオードである。各発光素子２２００は、対応する第１基板２２１のプリント配線に電気的に接続されている。
【００３１】
なお、各発光素子２２００は、発光ダイオードに限られず、例えば、半導体レーザ等の半導体発光素子、有機エレクトロルミネセンス素子又は無機エレクトロルミネセンス素子等であってもよい。また、各光源２２０は、一つの発光素子であってもよい。
【００３２】
複数の光源モジュール２２のいずれか一つは、図３に示すように、一対の第１孔２２５と、一対の入力端子部２２２とを有している。一対の第１孔２２５は、第１基板２２１に形成されており、左右方向に並んでいる。各第１孔２２５は、第１基板２２１において、取付部材３の貫通孔３００に対応する部分を上下方向に貫通している。
【００３３】
一対の入力端子部２２２は、一対の第１孔２２５にそれぞれ一対一で対応している。各入力端子部２２２は、第１基板２２１の下面において、対応する第１孔２２５の周囲に形成されたランドで構成されている。一対の入力端子部２２２は、複数の発光素子２２００に第１基板２２１のプリント配線を介して電気的に接続されている。
【００３４】
図２及び図４に示すように、本実施形態の各光源モジュール２２は、一対のコネクタ２２４を更に有している。各光源モジュール２２において、一対のコネクタ２２４は、第１基板２２１の下面に取り付けられている。隣り合う第１基板２２１のプリント配線同士は、一方の第１基板２２１に取り付けられた一対のコネクタ２２４と、他方の第１基板２２１に取り付けられた一対のコネクタ２２４とを電気的に接続することで、電気的に接続されている。これにより、一対の入力端子部２２２は、入力端子部２２２が形成されていない第１基板２２１に取り付けられた複数の発光素子２２００にも、電気的に接続されている。
【００３５】
光源部２は、図３に示す一対の第１端子２１を更に有している。一対の第１端子２１は、電源装置４から接続部材５を介して光源部２に供給された電力を受け取る。一対の第１端子２１は、一対の入力端子部２２２にそれぞれ一対一で対応している。各第１端子２１は、第１基板２２１の下面に配置されている。各第１端子２１は、対応する入力端子部２２２に接合されて電気的に接続されている。これにより、各第１端子２１は、対応する入力端子部２２２を介して、各発光素子２２００に電気的に接続されている。
【００３６】
各第１端子２１は、金属製である。各第１端子２１は、図５Ａ〜図５Ｃに示すように、厚み方向が上下方向と平行な板部２１０を有している。図６及び図７に示すように、板部２１０は、第１基板２２１の下面に沿って配置されている。各第１端子２１は、板部２１０の中央部を上下方向に貫通した挿通孔２１１を有している。各第１端子２１の挿通孔２１１は、上下方向に見て、対応する第１孔２２５と重なっている。
【００３７】
図５Ａ〜図５Ｃに示すように、各第１端子２１は、複数（図示例では三つ）の支持片２１２と、複数（図示例では三つ）の案内片２１３とを更に有している。複数の支持片２１２及び複数の案内片２１３は、挿通孔２１１の周縁に形成されている。支持片２１２と案内片２１３とは、挿通孔２１１の周方向において交互に位置している。各支持片２１２及び各案内片２１３は、例えば、板部２１０の一部を切り起こすことにより形成される。
【００３８】
各支持片２１２及び各案内片２１３は、上下方向に見て、挿通孔２１１の周縁から、挿通孔２１１の中心に向かって突出している。各支持片２１２及び各案内片２１３は、挿通孔２１１の中心に近い部分ほど上方に位置するように、上下方向と直交する面に対して傾斜している。各支持片２１２の先端部は、複数の案内片２１３よりも、挿通孔２１１の中心側に突出している。
【００３９】
各第１端子２１の板部２１０は、図７に示す対応する入力端子部２２２に半田接合されている。これにより、各第１端子２１は、対応する入力端子部２２２に電気的に接続されている。各第１端子２１において、複数の支持片２１２及び複数の案内片２１３は、対応する第１孔２２５内に配置されている。
【００４０】
図３に示すように、電源装置４は、電源回路４９と、ケース４３とを有している。電源回路４９は、ケース４３に収容されている。
【００４１】
電源回路４９は、交流電源から供給された交流電力を直流電力に変換する回路であり、交流電力を入力電力とし、直流電力を出力電力とする。電源回路４９は、基板（プリント配線板）４０と、基板４０に取り付けられた（実装された）複数の電子部品４４（図８及び図９参照）とを有している。以下、基板４０を第２基板４０という。
【００４２】
第２基板４０は、取付部材３の底板部３０の上面（第１基板２２１とは反対側の面）に沿って配置されている。第２基板４０は、長手方向が左右方向と平行で、かつ、厚み方向が上下方向と平行な矩形板状に形成されている。第２基板４０は、基板本体（絶縁基板）４０１と、基板本体４０１の下面に形成されたプリント配線とで構成されている。プリント配線は、銅箔等の導体で構成される。
【００４３】
本実施形態の第２基板４０は、上面（底板部３０とは反対側の面）が部品面であり、下面（底板部３０側の面）が半田面である。複数の電子部品４４は、図８に示すように、第２基板４０の上面に配置された複数の電子部品４４０と、図９に示すように、第２基板４０の下面に配置された複数の電子部品４４１とを含んでいる。
【００４４】
図８に示す複数の電子部品４４０の各々は、レセプタクルコネクタからなる電源入力部４００の他、平滑コンデンサ、コモンモードチョークコイル等のいわゆるリード部品を含んでいる。複数の電子部品４４１のうち上下方向の寸法が最も長い電子部品４４１は、複数の電子部品４４０のうち上下方向の寸法が最も長い電子部品よりも、上下方向の寸法が短い。すなわち、第２基板４０から下方に突出した複数の電子部品４４１の最大の突出量は、第２基板４０から上方に突出した複数の電子部品４４０の最大の突出量よりも小さい。このため、第２基板４０を取付部材３の底板部３０に近づけて配置することができる。
【００４５】
図３及び図７に示すように、電源回路４９は、一対の第２孔４０２と、一対のスルーホール４０４と、一対の出力端子部４０５とを更に有している。一対の第２孔４０２及び一対のスルーホール４０４の各々は、第２基板４０において、取付部材３の貫通孔３００に対応する箇所に形成されており、第２基板４０を上下方向に貫通している。一対の第２孔４０２は、第１基板２２１の一対の第１孔２２５に一対一でそれぞれ対応しており、左右方向に並んでいる。一対のスルーホール４０４は、左右方向に間隔をあけて位置しており、一対のスルーホール４０４の間に一対の第２孔４０２が位置している。
【００４６】
一対の出力端子部４０５は、一対のスルーホール４０４にそれぞれ一対一で対応している。各出力端子部４０５は、第２基板４０の下面において対応するスルーホール４０４の周囲に形成されたランドで構成されている。一対の出力端子部４０５は、第２基板４０のプリント配線に電気的に接続されている。
【００４７】
電源回路４９は、図１０に示すホルダ４１と、ホルダ４１により保持された一対の第２端子４２とを更に有している。図７に示すように、ホルダ４１は、第２基板４０の上面に沿って配置されている。ホルダ４１は、電気絶縁性を有しており、例えば樹脂製である。ホルダ４１は、長手方向が左右方向と平行な直方体状に形成されている。
【００４８】
ホルダ４１は、一対の収容部４１０を有している。各収容部４１０は、ホルダ４１の上部に形成されている。一対の収容部４１０は、左右方向に並んでいる。各収容部４１０は、ホルダ４１の上面に開口した穴である。一対の収容部４１０には、一対の第２端子４２がそれぞれ収容されている。これにより、一対の第２端子４２は、第２基板４０の上面に沿って配置されている。
【００４９】
ホルダ４１は、隔壁部４１２を更に有している。隔壁部４１２は、一対の収容部４１０の間に形成され、一対の収容部４１０を仕切っている。隔壁部４１２は、一対の第２端子４２を電気的に絶縁している。
【００５０】
一対の第２端子４２は、電源回路４９で生成された電力を外部に送り出す。一対の第２端子４２は、左右方向に並んでおり、一対の出力端子部４０５にそれぞれ一対一で対応している。各第２端子４２は、金属製である。各第２端子４２は、対応する出力端子部４０５に電気的に接続されている。これにより、各第２端子４２は、対応する出力端子部４０５を介して、第２基板４０のプリント配線に電気的に接続されている。
【００５１】
各第２端子４２は、例えば、銅又は銅合金などの金属板が加工されることで一体に形成されている。図１０に示すように、各第２端子４２は、一対の対向片４２１及び接続片４２２を有している。一対の対向片４２１は、前後方向に間隔をあけて対向している。
【００５２】
一対の対向片４２１の各々は、上方に突出した引掛部４２５を有している。各引掛部４２５は、上端に近い部分ほど、前後方向において一対の対向片４２１の外側に向かって位置するように、上下方向に対して傾斜している。各引掛部４２５は、例えば、対応する対向片４２１の一部を切り起こすことで形成される。各引掛部４２５は、図６に示すように、対応する収容部４１０の内壁面に引っ掛けられている。これにより、各第２端子４２は、上方への抜け止めがなされて、ホルダ４１に固定されている。
【００５３】
図１０に示すように、一対の対向片４２１は、左右方向において一対の第２端子４２の外側に位置する端部同士が接続片４２２によって接続されている。各第２端子４２は、撓み片４２３及び端子片４２４を更に有している。撓み片４２３は、接続片４２２の下端から、一対の第２端子４２の左右方向の外側に向かって突出している。端子片４２４は、撓み片４２３において左右方向における接続片４２２とは反対側の端部から下方（取付部材３の底板部３０側）に向かって突出している。
【００５４】
図７に示すように、ホルダ４１は、一対の収容孔４１３を更に有している。一対の収容孔４１３は、ホルダ４１の下部における左右方向の両端部に形成されている。各収容孔４１３は、上端が収容部４１０に通じ、下端がホルダ４１の下面に開口している。各収容孔４１３には、対応する第２端子４２の端子片４２４が収容されている。各端子片４２４は、ホルダ４１の下面から下方に突出している。
【００５５】
各端子片４２４の下端部は、図７に示すように、第２基板４０の対応するスルーホール４０４を貫通し、第２基板４０よりも下方に突出している。第２基板４０より下方に突出した各端子片４２４の突出長さＬ１は、第２基板４０の下面に配置された複数の電子部品４４１（図９参照）のうち、第２基板４０Ｂから最も下方に突出した電子部品４４１の突出長さよりも短い。各第２端子４２の端子片４２４の下端部は、第２基板４０の下面において対応する出力端子部４０５に半田接合されている。これにより、各第２端子４２は、対応する出力端子部４０５に固定され、また、対応する出力端子部４０５に電気的に接続されている。
【００５６】
図１０に示すように、各第２端子４２は、一対のばね片４２０を有している。一対のばね片４２０は、一対の対向片４２１の下端から上方に突出しており、対向している。各ばね片４２０は、上端に近い部分ほど、一対のばね片４２０の間隔が小さくなるように、上下方向に対して傾斜している。
【００５７】
ホルダ４１は、一対の差込口４１１を更に有している。一対の差込口４１１は、ホルダ４１の下部に形成されており、左右方向に並んでいる。各差込口４１１は、ホルダ４１の下面に開口している。図７に示すように、一対の差込口４１１は、第２基板４０の一対の第２孔４０２にそれぞれ一対一で対応している。各差込口４１１は、対応する第２孔４０２の上方に位置している。
【００５８】
一対の差込口４１１は、一対の収容部４１０にそれぞれ一対一で対応している。各差込口４１１は、対応する収容部４１０の下方に位置している。各差込口４１１の上端は、対応する収容部４１０の下端につながっている。各差込口４１１の内周面は、上端に近い部分ほど、上下方向に見て差込口４１１の中心に近づくように、上下方向に対して傾斜している。
【００５９】
図３に示すケース４３は、取付部材３の底板部３０の上面に沿って配置されている。ケース４３は、下面（底板部３０に対向する一面）が開口した箱状に形成されている。
【００６０】
本実施形態のケース４３は、底板４３０、一対の第１側板４３１、一対の第２側板４３２及び固定板４３３を有している。底板４３０は長手方向が左右方向と平行な矩形板状に形成されている。一対の第１側板４３１は、底板４３０の左右の端縁からそれぞれ下方に突出している。一対の第２側板４３２は、底板４３０の前後の端縁からそれぞれ下方に突出している。固定板４３３は、一対の第２側板４３２のうちの一方から他方とは反対側に向かって突出している。
【００６１】
図９に示すように、各第２側板４３２には、複数の爪４３４が形成されている。ケース４３内には、第２基板４０が収容されている。第２基板４０は、各第２側板４３２に形成された複数の爪４３４によって支持されている。これにより、第２基板４０は、ケース４３に固定されている。なお、電源入力部４００の差込口部は、一方の第１側板４３１に形成された窓孔を通してケース４３外に突出している。
【００６２】
図３に示すケース４３において、固定板４３３が接続されていない第２側板４３２及び固定板４３３の各々は、取付部材３の一対の側板部３１にそれぞれねじ止めされている。これにより、ケース４３は取付部材３に取り付けられている。ケース４３の下面の開口は、取付部材３の底板部３０によって塞がれている。このため、ケース４３内には、虫等が入り込み難い。
【００６３】
図７に示すように、電源装置４の各第２端子４２は、ホルダ４１の対応する差込口４１１、第２基板４０の対応する第２孔４０２、貫通孔３００、第１基板２２１の対応する第１孔２２５及び対応する第１端子２１と、上下方向に一直線上に並んでいる。すなわち、各第２端子４２は、上下方向に見て、対応する差込口４１１、対応する第２孔４０２、貫通孔３００、対応する第１孔２２５及び対応する第１端子２１と重なっている。
【００６４】
電源装置４の出力電力は、接続部材５を介して光源部２に供給される。接続部材５は、一対の導電体５０を有している。一対の導電体５０は、光源部２の一対の第１端子２１にそれぞれ一対一で対応し、かつ、電源装置４の一対の第２端子４２にそれぞれ一対一で対応している。
【００６５】
各導電体５０は、金属製であり、例えば、銅又は銅合金から形成される。各導電体５０は、上下方向を軸方向とする円柱状に形成されている。なお、各導電体５０の形状は、板状又は角柱状等、円柱状以外の形状であってもよい。
【００６６】
各導電体５０は、対応する第１孔２２５、貫通孔３００、対応する第２孔４０２及び対応する差込口４１１を上下方向に貫通している。各導電体５０の下端部は、対応する第１端子２１の挿通孔２１１に位置しており、この第１端子２１の各支持片２１２の先端部に接触している。これにより、各導電体５０は、対応する第１端子２１に電気的に接続されている。各導電体５０の上端部は、ホルダ４１の対応する収容部４１０内に位置しており、この収容部４１０内において、対応する第２端子４２の一対のばね片４２０で挟まれている。これにより、各導電体５０は、対応する第２端子４２に電気的に接続されている。
【００６７】
本実施形態の光源ユニット１１は、更に図４に示すカバー１１１を有している。カバー１１１は、光源部２を下方から覆っている。カバー１１１は、水平方向に直線状に延び、かつ上面が開口した浅底の箱状に形成されている。カバー１１１は、例えば乳白色のアクリル樹脂等、拡散性を有する材料から形成される。光源部２の各光源２２０から発せられた光は、カバー１１１を透過してカバー１１１の下方に出る。
【００６８】
図２に示すように、カバー１１１における前後方向の両端部には、上方に突出した一対の掛止部２３３がそれぞれ形成されている。一対の掛止部２３３が、取付部材３の一対の側板部３１にそれぞれ引っ掛けられることで、カバー１１１は、取付部材３に着脱可能に取り付けられている。
【００６９】
光源ユニット１１は、例えば、以下のように組み立てられる。まず、作業者は、電源装置４及び光源部２を取付部材３に取り付ける。
【００７０】
次に作業者は、図７に示すように、各導電体５０を、対応する第１端子２１の挿通孔２１１、対応する第１孔２２５、貫通孔３００、対応する第２孔４０２及び対応する差込口４１１に順に通して、対応する第２端子４２の一対のばね片４２０の間に挿入する。これにより、各導電体５０は、一端部が対応する第１端子２１の各支持片２１２に接触し、他端部が対応する第２端子４２の一対のばね片４２０に接触し、光源部２と電源装置４とが、接続部材５を介して電気的に接続される。
【００７１】
上述のように、導電体５０が対応する第１端子２１の挿通孔２１１に挿入されるとき、導電体５０は、図５Ｂに示すように挿通孔２１１を囲むように配置された複数の支持片２１２と複数の案内片２１３により、挿通孔２１１の中心にガイドされる。また、図７に示す各導電体５０が対応する第２端子４２の一対のばね片４２０に挿入されるとき、導電体５０は、ホルダ４１の対応する差込口４１１の傾斜した内周面によって、一対のばね片４２０の間に対応する位置にガイドされる。したがって、作業者は、導電体５０を第１端子２１と第２端子４２とに接続する作業を容易に行うことができる。
【００７２】
上述のように、接続部材５により光源部２と電源装置４とを電気的に接続した後、作業者は、図４に示すカバー１１１を取付部材３に取り付ける。これにより、光源ユニット１１が組み立てられる。
【００７３】
本実施形態の光源ユニット１１では、上述したように、作業者は、図７に示す各導電体５０を、第一基板２２１の第１孔２２５、取付部材３の貫通孔３００及び第二基板４０の第２孔４０２を通すことで、光源部２と電源装置４との電気的接続を簡単に行うことができる。
【００７４】
また、一対の第２端子４２を保持するホルダ４１は、第二基板４０における取付部材３の底板部３０とは反対側の面である上面に配置される。このため、第二基板４０を底板部３０に近づけて配置し、光源部２の一対の第１端子２１と、電源装置４の一対の第２端子４２とを近づけて配置することが可能になる。したがって、各導電体５０の上下方向の長さを短くして、各導電体５０の放射ノイズの発生を抑制することができる。
【００７５】
また、本実施形態では、第２基板４０においてホルダ４１が配置される上面に、リード部品である背の高い電子部品４４０（図８参照）が配置される。このため、電源回路４９における低背の電子部品の数の増加を抑制したり、第二基板４０の面積の拡大を抑制したりすることもできる。
【００７６】
図１に示すように、光源ユニット１１は、複数の引掛具１１０を更に有している。複数の引掛具１１０は、取付部材３に取り付けられている。複数の引掛具１１０は、器具本体１０の凹部１００に引っ掛けられており、これにより、光源ユニット１１は、器具本体１０に対して着脱可能に取り付けられている。
【００７７】
照明器具１は、例えば以下のように施工される。まず、作業者は、天井材９０を通して室内に露出した電源線９３を、端子台１２が取り付けられた器具本体１０の孔１０１に通す。次に、作業者は、天井材９０を通して室内に露出した複数のつりボルト９１を、器具本体１０の複数の孔１０２にそれぞれ通す。
【００７８】
次に作業者は、複数のつりボルト９１の各々にナット９２を取り付けて、器具本体１０を天井材９０に固定する。次に、作業者は、端子台１２に電源線９３を接続し、プラグコネクタ１４を電源装置４の電源入力部４００（図９参照）に差込接続する。そして、作業者は、複数の引掛具１１０を器具本体１０の凹部１００に引っ掛けて、光源ユニット１１を器具本体１０に取り付ける。このようにして、照明器具１は、天井に施工される。
【００７９】
以下、照明器具１の変形例について説明する。
【００８０】
（変形例１）
図１１に示す変形例１の電源装置４Ａは、ケース４３（図３参照）に代えて、ケース４３Ａを有している。ケース４３Ａは、ケース本体４３５Ａと、ケース蓋４２６Ａとを有している。ケース本体４３５Ａは、例えば金属製である。ケース本体４３５Ａは、左右方向に直線状に延び、上面が開口した箱状に形成されている。ケース本体４３５Ａは、第２基板４０の下面に沿って配置される。第２基板４０はケース本体４３５Ａに取り付けられ、ケース本体４３５Ａは取付部材３（図３参照）に取り付けられる。
【００８１】
ケース蓋４２６Ａは、例えば金属製である。ケース蓋４２６Ａは、ケース本体４３５Ａ及び第２基板４０の上方に位置する。ケース蓋４２６Ａは、左右方向に直線状に延び、下面が開口した箱状に形成されている。ケース蓋４２６Ａはケース本体４３５Ａに取り付けられ、ケース蓋４２６Ａの下面は、ケース本体４３５Ａによって覆われる。第２基板４０、複数の電子部品４４及びホルダ４１は、ケース蓋４２６Ａとケース本体４３５Ａとで囲まれた空間に収容される。
【００８２】
ケース４３Ａは、孔４３７Ａを更に有している。孔４３７Ａは、ケース本体４３５Ａに形成されており、ケース本体４３５Ａを上下方向に貫通している。孔４３７Ａは、上下方向に見て、第２基板４０の一対の第２孔４０２及び取付部材３の貫通孔３００（図３参照）と重なっている。すなわち、本変形例では、各導電体５０（図７参照）は、対応する第１孔２２５（図７参照）、貫通孔３００（図７参照）、孔４３７Ａ、対応する第２孔４０２及び対応する差込口４１１を上下方向に貫通する。そして、この状態で、各導電体５０は、対応する第１端子２１（図７参照）と、対応する第２端子４２とに電気的に接続される。
【００８３】
なお、本変形例の電源装置４Ａは、ケース本体４３５Ａと第２基板４０との間に配置される絶縁シートを有してもよい。
【００８４】
（変形例２）
図１２に示す変形例２の電源装置４Ｂは、第２基板４０（図３参照）に代わる第２基板４０Ｂと、ホルダ４１（図３参照）に代わるホルダ４１Ｂとを有している。なお、第２基板４０Ｂは実施形態の第２基板４０と略同様の構成を有するため、以下では、第２基板４０Ｂについて、実施形態の第２基板４０と異なる点についてのみ説明する。また、ホルダ４１Ｂは、実施形態のホルダ４１と略同様の構成を有するため、以下では、ホルダ４１Ｂについて、実施形態のホルダ４１と異なる点についてのみ説明する。
【００８５】
第２基板４０Ｂは、一対の嵌込孔４０６Ｂを更に有している。一対の嵌込孔４０６Ｂは、前後方向に並んでおり、一対の嵌込孔４０６Ｂの間に、一対の第２孔４０２が位置している。各嵌込孔４０６Ｂは、第２基板４０Ｂを上下方向に貫通している。
【００８６】
ホルダ４１Ｂは、複数の突起４１４Ｂを有している。複数の突起４１４Ｂは、ホルダ４１Ｂの他の部分と一体に形成されている。本変形例のホルダ４１Ｂは、複数の突起として、一対の突起４１４Ｂを有している。一対の突起４１４Ｂは、ホルダ４１Ｂの前面における下端中央部と、ホルダ４１Ｂの後面における下端中央部とにそれぞれ形成されている。各突起４１４Ｂは、一対の差込口４１１が開口した、ホルダ４１Ｂの下面よりも下方に突出している。
【００８７】
図１３に示すように、ホルダ４１Ｂの各突起４１４Ｂは、対応する嵌込孔４０６Ｂに嵌め込まれている。各突起４１４Ｂは、対応する嵌込孔４０６Ｂに圧縮された状態で配置されており、これにより、ホルダ４１Ｂは第２基板４０Ｂに対して強固に固定されている。
【００８８】
各突起４１４Ｂは、嵌込孔４０６Ｂを貫通して第２基板４０Ｂの下面よりも下方に突出している。第２基板４０Ｂから下方に突出した各突起４１４Ｂの突出長さＬ２は、第２基板４０Ｂの下面に配置された複数の電子部品４４１（図９参照）のうち、第２基板４０Ｂから最も下方に突出した電子部品４４１の突出長さよりも短い。このため、第２基板４０Ｂを取付部材３の底板部３０に近づけて配置することができる。
【００８９】
なお、図１３に示す各突起４１４Ｂの突出長さＬ２は、第２基板４０Ｂから下方に突出した各端子片４２４の突出長さＬ１よりも長いが、突出長さＬ１以下であってもよい。また、ホルダ４１Ｂが有する突起４１４Ｂの数は、二つに限られず、一つ又は三つ以上であってもよい。
【００９０】
（変形例３）
図１４に示す変形例３の電源装置４Ｃは、第２基板４０（図３参照）に代わる第２基板４０Ｃと、ホルダ４１（図３参照）に代わるホルダ４１Ｃとを有している。なお、第２基板４０Ｃは実施形態の第２基板４０と略同様の構成を有するため、以下では、第２基板４０Ｃについて、実施形態の第２基板４０と異なる点についてのみ説明する。また、ホルダ４１Ｃは、実施形態のホルダ４１と略同様の構成を有するため、以下では、ホルダ４１Ｃについて、実施形態のホルダ４１と異なる点についてのみ説明する。
【００９１】
第２基板４０Ｃは、一対の第２孔４０２（図３参照）に代えて、一つの第２孔４０２Ｃを有している。第２孔４０２Ｃは、一対のスルーホール４０４の間に位置している。第２孔４０２Ｃは、第２基板４０Ｃを上下方向に貫通している。第２孔４０２Ｃは、長手方向が左右方向と平行な矩形状の孔である。
【００９２】
ホルダ４１Ｃは、突出部４１５Ｃを更に有している。突出部４１５Ｃは、ホルダ４１Ｃの下端部の左右方向の中央に形成されている。突出部４１５Ｃは、上下方向に見て、第２孔４０２Ｃと合致する矩形状に形成されている。突出部４１５Ｃの下面は、ホルダ４１Ｃにおける左右方向の両端部の下面よりも一段下方に位置している。一対の差込口４１１は、突出部４１５Ｃの下面に開口している。一対の収容孔４１３は、ホルダ４１Ｃにおける左右方向の両端部の下面に開口している。一対の端子片４２４は、ホルダ４１Ｃの左右両端部の下面から下方に突出している。
【００９３】
図１５に示すように、ホルダ４１Ｃの突出部４１５Ｃは、第２孔４０２Ｃに嵌め込まれている。突出部４１５Ｃは、第２孔４０２Ｃに圧縮された状態で配置されており、これにより、ホルダ４１Ｃは第２基板４０Ｃに対して強固に固定されている。
【００９４】
突出部４１５Ｃは、第２孔４０２Ｃを貫通して、第２基板４０Ｃの下面よりも下方に突出している。第２基板４０Ｃから下方に突出した突出部４１５Ｃの突出長さＬ３は、第２基板４０Ｃの下面に配置された複数の電子部品４４１（図９参照）のうち、第２基板４０Ｃから最も下方に突出した電子部品４４１の突出長さよりも短い。このため、第２基板４０Ｃを取付部材３の底板部３０に近づけて配置することができる。
【００９５】
なお、図１５に示す例では、突出部４１５Ｃの突出長さＬ３は、第２基板４０Ｃから下方に突出した各端子片４２４の突出長さＬ１よりも長いが、突出長さＬ１以下の長さであってもよい。また、本変形例のホルダ４１Ｃは、変形例２の突起４１４Ｂ（図１３参照）を有してもよい。すなわち、この場合、第２基板４０Ｃには、突起４１４Ｂが嵌まる嵌込孔４０６Ｂが形成される。
【００９６】
（変形例４）
図１６に示す変形例４の電源装置４Ｄは、第２基板４０（図３参照）に代わる第２基板４０Ｄと、ホルダ４１（図３参照）に代わるホルダ４１Ｄとを有している。第２基板４０Ｄは、変形例３の第２基板４０Ｃ（図１４参照）と同様の構成を有しており、以下では第２基板４０Ｄについての詳細な説明は省略する。また、ホルダ４１Ｄは、変形例３のホルダ４１Ｃ（図１４参照）と略同様の構成を有するため、以下では、ホルダ４１Ｄについて、変形例３のホルダ４１Ｃと異なる点についてのみ説明する。
【００９７】
ホルダ４１Ｄは、複数の突起部４１６Ｄを更に有している。複数の突起部４１６Ｄは、突出部４１５Ｃにおいて第２孔４０２Ｃに嵌め込まれる部分の外周面に形成されている。本変形例のホルダ４１Ｄは、複数の突起部４１６Ｄとして、６つの突起部４１６Ｄを有している。６つの突起部４１６Ｄは、上下方向に見て矩形状の突出部４１５Ｃにおける４つの角部と、突出部４１５Ｃの前後面の各々の左右方向の中央部とにそれぞれ形成されている。各突起部４１６Ｄは、突出部４１５Ｃの下端部から上方に向かって直線状に延びている。
【００９８】
図１７に示すように各突起部４１６Ｄは、第２基板４０Ｄの第２孔４０２Ｃの内周面に圧縮された状態で接している。このため、ホルダ４１Ｄは、第２基板４０Ｄに対してより強固に固定されている。
【００９９】
各突起部４１６Ｄの下端面は、突出部４１５Ｃの外周側に位置する部分ほど上方に位置するように傾斜している。このため、複数の突起部４１６Ｄが形成された突出部４１５Ｃは、第２孔４０２Ｃに上方から容易に挿入することができる。なお、ホルダ４１Ｄが有する突起部４１６Ｄの数は、６つに限られない。
【０１００】
（変形例５）
図１８に変形例５の第２端子４２Ｅを示す。なお、第２端子４２Ｅは、実施形態の第２端子４２（図１０）と略同様の構成を有するため、以下では、第２端子４２Ｅについて、第２端子４２と異なる点についてのみ説明する。
【０１０１】
第２端子４２Ｅは、一対のばね片４２０（図１０参照）に代わる、一対のばね片４２０Ｅを有している。各ばね片４２０Ｅは、左右方向に見てＬ字状に曲がっており、第１部分４２６Ｅと第２部分４２７Ｅとを有している。各ばね片４２０Ｅにおいて、第１部分４２６Ｅは対応する対向片４２１の下端から上方に突出しており、第２部分４２７Ｅは、第１部分４２６Ｅの上端から上方に突出している。一対のばね片４２０Ｅでは、第１部分４２６Ｅ同士が対向し、第２部分４２７Ｅ同士が対向している。なお、各ばね片４２０Ｅにおいて、第２部分４２７Ｅの上下長さは、第１部分４２６Ｅの上下長さの１／３よりも長いことが好ましい。本変形例では、第２部分４２７Ｅの上下長さは、第１部分４２６Ｅの上下長さの半分よりも長い。
【０１０２】
各ばね片４２０Ｅの第１部分４２６Ｅは、上端に近い部分ほど、一対のばね片４２０Ｅの第１部分４２６Ｅ同士の間隔が小さくなるように、上下方向に対して傾斜している。各ばね片４２０Ｅの第２部分４２７Ｅは、上端に近い部分ほど、一対のばね片４２０Ｅの第２部分４２７Ｅ同士の間隔が大きくなるように、上下方向に対して傾斜している。
【０１０３】
各ばね片４２０Ｅにおける第１部分４２６Ｅと第２部分４２７との接続部分が、導電体５０（図６参照）に接触することにより、導電体５０は一対のばね片４２０Ｅで挟まれる。
【０１０４】
本実施形態の第２端子４２Ｅには、一対のばね片４２０Ｅの間に、導電体５０を下方及び上方の両方から挿入することができる。各ばね片４２０Ｅの第１部分４２６Ｅは、一対のばね片４２０Ｅの間に下方から導電体５０が挿入される場合に、導電体５０のガイドになる。また、各ばね片４２０Ｅの第２部分４２７Ｅは、一対のばね片４２０Ｅの間に上方から導電体５０が挿入される場合に、導電体５０のガイドになる。
【０１０５】
本変形例の第２端子４２Ｅは、例えば、ホルダ４１（図３参照）が第２基板４０（図３参照）の下面に配置される電源装置においても利用することができる。この場合、第２端子４２Ｅは、ホルダ４１が第２基板４０の上面に配置される場合と上下逆の状態で配置され、第２基板４０の下面に取り付けられたホルダ４１によって保持される。そして、この場合、導電体５０は、第２端子４２Ｅに下方から接続される。なお、本変形例の第２端子４２Ｅは、変形例１〜４の第２端子４２として利用してもよい。
【０１０６】
（態様）
上述した実施形態及び変形例１〜５から明らかなように、第１の態様の光源ユニット（１１）は、取付部材（３）、光源部（２）、電源装置（４；４Ａ；４Ｂ；４Ｃ）及び導電体（５０）を有している。光源部（２）と電源装置（４）とは、取付部材（３）に取り付けられている。取付部材（３）は、板状部（底板部（３０））と、貫通孔（３００）とを有している。貫通孔（３００）は、板状部に形成され、板状部の厚み方向（Ｄ）に貫通している。光源部（２）は、第１基板（２２１）、光源（２２０）、第１端子（２１）及び第１孔（２２５）を有している。第１基板（２２１）は、板状部における厚み方向Ｄの両側の面の一方に沿っている。光源（２２０）は、第１基板（２２１）に取り付けられている。第１端子（２１）は、第１基板（２２１）に取り付けられ、光源（２２０）に電気的に接続されている。第１孔（２２５）は、第１基板（２２１）を厚み方向（Ｄ）に貫通している。電源装置（４）は、電源回路（４９）を有している。電源回路（４９）は、第２基板（４０；４０Ｂ；４０Ｃ）、第２孔（４０２；４０２Ｃ）、ホルダ（４１；４１Ｂ；４１Ｃ）及び第２端子（４２；４２Ｅ）を有している。第２基板（４０；４０Ｂ；４０Ｃ）は、板状部における第１基板（２２１）とは反対側の面に沿っている。第２孔（４０２；４０２Ｃ）は、第２基板（４０；４０Ｂ；４０Ｃ）を厚み方向（Ｄ）に貫通している。ホルダ（４１；４１Ｂ；４１Ｃ）は、第２基板（４０；４０Ｂ；４０Ｃ）における板状部とは反対側の面に配置されている。第２端子（４２；４２Ｅ）は、ホルダ（４１；４１Ｂ；４１Ｃ）によって保持され、電源回路（４９）で生成された電力を出力する。第１端子（２１）、第１孔（２２５）、貫通孔（３００）、第２孔（４０２；４０２Ｃ）及び第２端子（４２；４２Ｅ）が、厚み方向（Ｄ）に見て重なっている。導電体（５０）は、第１孔（２２５）、貫通孔（３００）及び第２孔（４０２；４０２Ｃ）を通して、第１端子（２１）と第２端子（４２；４２Ｅ）とに電気的に接続されている。
【０１０７】
第１の態様によれば、作業者は、導電体（５０）を、第１孔（２２５）、貫通孔（３００）及び第２孔（４０２；４０２Ｃ）に通すことで、光源部２と電源装置（４；４Ａ；４Ｂ；４Ｃ）との電気的接続を簡単に行うことができる。また、第２端子（４２；４２Ｅ）を保持するホルダ（４１；４１Ｂ；４１Ｃ）は、第二基板（４０；４０Ｂ；４０Ｃ）における取付部材（３）の板状部とは反対側の面に配置されている。このため、第二基板（４０；４０Ｂ；４０Ｃ）を板状部に近づけて配置し、第１端子（２１）と第２端子（４２；４２Ｅ）とを近づけて配置することが可能になる。したがって、導電体（５０）を短くして、導電体（５０）の放射ノイズの発生を抑制することができる。
【０１０８】
第２の様態の光源ユニット（１１）は、第１の様態との組み合わせにより実現され得る。第２の様態では、第２基板（４０Ｂ）は、嵌込孔（４０６Ｂ）を更に有している。嵌込孔（４０６Ｂ）は、第２基板（４０Ｂ）を厚み方向（Ｄ）に貫通している。また、ホルダ（４１Ｂ）は、第２基板（４０Ｂ）側に向かって突出した突起（４１４Ｂ）を有している。突起（４１４Ｂ）は、嵌込孔（４０６Ｂ）に嵌め込まれている。
【０１０９】
第２の態様によれば、突起（４１４Ｂ）が嵌込孔（４０６Ｂ）に嵌め込まれることで、ホルダ（４１Ｂ）が第２基板（４０Ｂ）に対して強固に固定される。
【０１１０】
第３の様態の光源ユニット（１１）は、第２の様態との組み合わせにより実現され得る。第３の様態の電源回路（４９）は、電子部品（４４１）を更に有している。電子部品（４４１）は、第２基板（４０Ｂ）における板状部側の面に配置されている。突起（４１４Ｂ）は、第２基板（４０Ｂ）よりも板状部側に突出している。第２基板（４０）より板状部側に突出した突起（４１４Ｂ）の突出長さＬ２は、第２基板（４０）より板状部側に突出した電子部品（４４１）の突出長さよりも短い。
【０１１１】
第３の態様によれば、ホルダ（４１Ｂ）が突起（４１４Ｂ）を有するにもかかわらず、第２基板（４０Ｂ）を取付部材（３）の板状部に近づけて配置することができる。
【０１１２】
第４の様態の光源ユニット（１１）は、第１又は第２の様態との組み合わせにより実現され得る。第４の様態のホルダ（４１Ｃ）は、突出部（４１５Ｃ）を有している。突出部（４１５Ｃ）は、第２基板（４０Ｃ）側に向かって突出し、第２孔（４０２Ｃ）に嵌め込まれている。
【０１１３】
第４の態様によれば、突出部（４１５Ｃ）が第２孔（４０２Ｃ）に嵌め込まれることで、ホルダ（４１Ｃ）が第２基板（４０Ｃ）に対して強固に固定される。
【０１１４】
第５の様態の光源ユニット（１１）は、第４の様態との組み合わせにより実現され得る。第５の態様の電源回路（４９）は、電子部品（４４１）を更に有している。電子部品（４４１）は、第２基板（４０Ｂ）における板状部側の面に配置されている。突出部（４１５Ｃ）は、第２基板（４０Ｃ）よりも板状部側に突出している。突出部（４１５Ｃ）が第２基板（４０Ｃ）より板状部側に突出した長さ（Ｌ３）は、電子部品（４４１）が第２基板（４０Ｃ）より板状部側に突出した長さよりも短い。
【０１１５】
第５の態様によれば、ホルダ（４１Ｃ）が突出部（４１５Ｃ）を有するにもかかわらず、第２基板（４０Ｃ）を取付部材（３）の板状部に近づけて配置することができる。
【０１１６】
第６の様態の光源ユニット（１１）は、第１〜第５のいずれか一つの様態との組み合わせにより実現され得る。電源装置（４）は、ケース（４３）を更に有している。ケース（４３）は、板状部における第２基板（４０）側の面に沿って配置され、板状部側の面が開放された箱状に形成されている。ケース（４３）に電源回路（４９）が収容されている。板状部により、ケース（４３）の板状部側の面が塞がれている。
【０１１７】
第６の態様によれば、箱状のケース（４３）の開放された面を板状部で塞ぐことができる。このため、電源回路（４９）が収容されたケース（４３）内に虫等が入り込み難い。
【０１１８】
第７の様態の照明器具１は、光源ユニット（１１）と、器具本体（１０）とを備えている。光源ユニット（１１）は、第１〜第６のいずれか一つの光源ユニット（１１）である。器具本体（１０）は、光源ユニット（１１）を支持している。
【０１１９】
第７の態様は、光源ユニット（１１）が器具本体（１０）によって支持された照明器具（１）である。
【０１２０】
第８の態様の電源装置（４）は、電源回路（４９）を備えている。電源回路（４９）は、基板（第２基板）（４０；４０Ｂ；４０Ｃ）、孔（第２孔）（４０２；４０２Ｃ）、ホルダ（４１；４１Ｂ；４１Ｃ）及び端子（第２端子）（４２；４２Ｅ）を有している。孔（４０２；４０２Ｃ）は、基板（４０；４０Ｂ；４０Ｃ）に形成され、基板（４０；４０Ｂ；４０Ｃ）の厚み方向に貫通している。ホルダ（４１；４１Ｂ；４１Ｃ）は、基板（４０；４０Ｂ；４０Ｃ）における厚み方向の両側の面のうちの一方の面に配置されている。端子（４２；４２Ｅ）は、ホルダ（４１；４１Ｂ；４１Ｃ）によって保持され、電源回路（４９）で生成された電力を出力する。端子（４２；４２Ｅ）は、導電体（５０）を孔（４０２；４０２Ｃ）側から接続可能に構成されている。
【０１２１】
第８の態様によれば、作業者は、導電体（５０）を、孔（４０２；４０２Ｃ）に通して、端子（４２）に電気的に接続することができる。このため、例えば、上述した照明器具（１）のように、基板（４０；４０Ｂ；４０Ｃ）のホルダ（４１；４１Ｂ；４１Ｃ）とは反対側に、他の部材（取付部材（３））を介して電力供給先（光源部（２））が位置する場合に、電源装置（４）と電力供給先との電気的接続を、導電体（５０）を用いて簡単に行うことできる。また、この場合、基板（４０；４０Ｂ；４０Ｃ）を他の部材に近づけて配置することができる。このため、導電体（５０）を短くし、導電体（５０）の放射ノイズの発生を抑制することができる。
【符号の説明】
【０１２２】
Ｌ２  突起の第２基板からの突出長さ
Ｌ３  突出部の第２基板からの突出長さ
Ｄ  底板部の厚み方向
１  照明器具
１０  器具本体
１１  光源ユニット
２  光源部
２１  第１端子
２２０  光源
２２１  第１基板
２２５  第１孔
３  取付部材
３０  底板部（板状部）
３００  貫通孔
４，４Ａ〜４Ｃ  電源装置
４０，４０Ｂ，４０Ｃ  第２基板
４０２，４０２Ｃ  第２孔
４０６Ｂ  嵌込孔
４１，４１Ｂ，４１Ｃ  ホルダ
４１４Ｂ  突起
４１５Ｃ  突出部
４２，４２Ｅ  第２端子
４３  ケース
４４１  電子部品
４９  電源回路
５０  導電体
【図１】
2019175620.tif 000003
【図２】
2019175620.tif 000004
【図３】
2019175620.tif 000005
【図４】
2019175620.tif 000006
【図５】
2019175620.tif 000007
【図６】
2019175620.tif 000008
【図７】
2019175620.tif 000009
【図８】
2019175620.tif 000010
【図９】
2019175620.tif 000011
【図１０】
2019175620.tif 000012
【図１１】
2019175620.tif 000013
【図１２】
2019175620.tif 000014
【図１３】
2019175620.tif 000015
【図１４】
2019175620.tif 000016
【図１５】
2019175620.tif 000017
【図１６】
2019175620.tif 000018
【図１７】
2019175620.tif 000019
【図１８】
2019175620.tif 000020